(57)【要約】【課題】ユーザが操作部材を操作したときの像面移動を、光学系の自動駆動で再現する。【解決手段】ユーザによりフォーカスリング１０７が操作されると、その操作量がレンズ側制御部１０５により第１駆動パルス信号に変換される。第１駆動パルス信号は、フォーカスレンズ１０２の駆動制御に用いられるが、撮像装置１が記憶モードにあるときはカメラボディ２００へも送信される。ボディ側制御部２０１は、第１駆動パルス信号の平均パルス速度を演算し、ボディ側記憶部２０４の登録領域２４１に記憶する。撮像装置１が再生モードにあるとき、登録領域２４１に記憶された平均パルス速度に基づいて、第１駆動パルス信号が生成されて、フォーカスレンズ１０２が駆動される。【選択図】図１
2014027402.tif 000002
【特許請求の範囲】
【請求項１】
撮影光学系と、
操作部材と、
前記操作部材の操作量を電気信号に変換する電気信号変換手段と、
前記撮影光学系の少なくとも一部の光学系を電気信号に基づき電動駆動する電動駆動手段と、
前記電気信号変換手段によって変換された電気信号に基づく情報を記憶する記憶手段と、
手動モードと記憶モードと再生モードとを選択する選択手段と、
前記選択手段によって前記手動モードが選択された場合に、前記操作部材の操作量に応じた前記電気信号変換手段の電気信号に基づき前記電動駆動手段によって前記撮影光学系の一部を電動駆動させ、
前記選択手段によって前記記憶モードが選択された場合に、前記操作部材の操作量に応じた前記電気信号変換手段の電気信号に基づく情報を前記記憶手段に記憶させ、
前記選択手段によって前記再生モードが選択された場合に、前記記憶手段に記憶された情報に関連する電気信号に基づき前記電動駆動手段によって前記撮影光学系の一部を駆動させる制御手段と、を備えることを特徴とするカメラ。
【請求項２】
請求項１に記載のカメラにおいて、
前記記憶モードが選択された場合に、前記操作部材の操作開始から所定の時間経過後から操作終了の所定時間前までの間の時間における前記操作部材の操作量に応じた前記電気信号変換手段の電気信号に基づき、前記操作部材の操作速度に関する速度情報を作成する速度情報作成手段を更に備え、
前記記憶手段は前記速度情報を前記操作部材の操作量に応じた電気信号変換手段によって変換された電気信号に基づく情報として記憶することを特徴とするカメラ。
【請求項３】
請求項１または２に記載のカメラにおいて、
前記撮影光学系の一部の光学系は、フォーカスレンズであることを特徴とするカメラ。
【請求項４】
請求項１から３のいずれか一項に記載のカメラにおいて、
前記撮影光学系の一部の光学系は、ズームレンズであることを特徴とするカメラ。
【請求項５】
請求項１から４のいずれか一項に記載のカメラにおいて、
交換レンズとカメラボディとを備え、
前記交換レンズは、前記撮影光学系と前記操作部材と前記電気信号変換手段と前記電動駆動手段とを備え、
前記カメラボディは、前記選択手段と、前記制御手段と、
前記交換レンズが着脱可能に取り付けられる取付手段と、を備え、
前記制御手段は、
前記選択手段によって前記記憶モードが選択された場合に、前記操作部材の操作量に応じた前記電気信号変換手段の電気信号に基づく情報とともに前記交換レンズの前記撮影光学系に関する情報を前記記憶手段に記憶させ、
前記選択手段によって前記再生モードが選択された場合に、前記取付手段に取り付けられている交換レンズの前記撮影光学系に関する情報と前記記憶手段に記憶させた前記撮影光学系に関する情報とが異なるときは、ユーザへの警告動作を行うことを特徴とするカメラ。
【請求項６】
請求項５に記載のカメラにおいて、
前記制御手段は、前記選択手段によって前記再生モードが選択された場合に、前記取付手段に取り付けられている交換レンズの前記撮影光学系に関する情報と前記記憶手段に記憶させた前記撮影光学系に関する情報とが異なるときは、前記警告動作を行うとともに、前記記憶手段に記憶させた情報に関連する電気信号に基づいた前記撮影光学系の一部の駆動を禁止することを特徴とするカメラ。
【発明の詳細な説明】
【技術分野】
【０００１】
本発明はカメラに関する。
【背景技術】
【０００２】
撮影光学系に設けられた操作部材を操作することで、撮影光学系の一部の光学系を光軸方向に駆動するカメラが知られている（たとえば、特許文献１参照）。
【先行技術文献】
【特許文献】
【０００３】
【特許文献１】特開平６−２４２３６１号公報
【発明の概要】
【発明が解決しようとする課題】
【０００４】
従来のカメラでは、ユーザが操作部材を操作したときの像面移動を、光学系の自動駆動で再現することができなかった。
【課題を解決するための手段】
【０００５】
本発明によるカメラは、撮影光学系と、操作部材と、操作部材の操作量を電気信号に変換する電気信号変換手段と、撮影光学系の少なくとも一部の光学系を電気信号に基づき電動駆動する電動駆動手段と、電気信号変換手段によって変換された電気信号に基づく情報を記憶する記憶手段と、手動モードと記憶モードと再生モードとを選択する選択手段と、選択手段によって手動モードが選択された場合に、操作部材の操作量に応じた電気信号変換手段の電気信号に基づき電動駆動手段によって撮影光学系の一部を電動駆動させ、選択手段によって記憶モードが選択された場合に、操作部材の操作量に応じた電気信号変換手段の電気信号に基づく情報を記憶手段に記憶させ、選択手段によって再生モードが選択された場合に、記憶手段に記憶された情報に関連する電気信号に基づき電動駆動手段によって撮影光学系の一部を駆動させる制御手段と、を備えることを特徴とする。
【発明の効果】
【０００６】
本発明によれば、ユーザが操作部材を操作したときの像面移動を、光学系の自動駆動で再現することができる。
【図面の簡単な説明】
【０００７】
【図１】本発明の一実施の形態による撮像装置のブロック構成図である。
【図２】撮像装置が記憶モードのときの動作に関するフローチャートである。
【図３】撮像装置が再生モードのときの動作に関するフローチャートである。
【図４】平均パルス速度の算出方法について説明するための図である。
【発明を実施するための形態】
【０００８】
図１は、本発明の一実施の形態による撮像装置のブロック図である。図１の撮像装置１は、交換レンズ１００とカメラボディ２００とを備えるレンズ交換式のデジタルカメラである。交換レンズ１００は、マウント部１５０を介してカメラボディ２００のマウント部２５０に着脱可能に装着される。図１では、交換レンズ１００は、カメラボディ２００に装着されており、図１中左側（交換レンズ１００の左側）に存在する被写体を撮影可能な状態になっている。
【０００９】
（交換レンズ１００に関する説明）
交換レンズ１００は、結像用レンズ１０１とフォーカスレンズ１０２と絞り１０３とズームレンズ１０４とレンズ側制御部１０５とレンズ側記憶部１０６とフォーカスリング１０７とズーム位置操作部１０８とレンズ側通信部１０９とフォーカスレンズ駆動部１２１とエンコーダ１２２とズームレンズ駆動部１４１とを備える。
【００１０】
フォーカスレンズ１０２は、フォーカスレンズ駆動部１２１により光軸Ｏ方向に駆動される。フォーカスレンズ駆動部１２１は、たとえばステッピングモータであって、レンズ側制御部１０５から入力される第１駆動パルス信号に基づく駆動方向と駆動速度とでフォーカスレンズ１０２を駆動する。
【００１１】
絞り１０３は、複数枚の絞り羽根（不図示）から形成されている。絞り羽根を駆動することにより絞り１０３の開口の大きさが調整されて、交換レンズ１００を通過する光量が調整される。
【００１２】
ズームレンズ１０４は、ズームレンズ駆動部１４１により光軸Ｏ方向に駆動される。ズームレンズ駆動部１４１は、たとえばステッピングモータであって、レンズ側制御部１０５から入力される第２駆動パルス信号に基づく駆動方向と駆動速度とでズームレンズ１０４を駆動する。
【００１３】
レンズ側制御部１０５は、レンズ側記憶部１０６に記憶された制御プログラムを実行して、レンズ側通信部１０９や、フォーカスレンズ駆動部１２１、ズームレンズ駆動部１４１などを制御する。
【００１４】
レンズ側記憶部１０６は、制御プログラムやレンズ情報などを記憶するＲＯＭと、レンズ側制御部１０５が作業エリアとして使用するＲＡＭとを含む。レンズ側記憶部１０６に記憶されるレンズ情報には、交換レンズ１００の種類（型式、製造番号、制御プログラムのバージョン等）に関する情報と、第１駆動パルス信号の１パルスあたりの像面移動量に関する情報とが含まれている。
【００１５】
第１駆動パルス信号の１パルスあたりの像面移動量に関する情報は、交換レンズ１００の焦点距離ごとにレンズ側記憶部１０６に記憶されている。フォーカスレンズ１０２の駆動に伴う像面移動量は、フォーカスレンズ駆動部１２１に入力された第１駆動パルス信号と、レンズ側記憶部１０６に記憶されている第１駆動パルス信号の１パルスあたりの像面移動量に関する情報とに基づいて、レンズ側制御部１０５により演算される。
【００１６】
フォーカスリング１０７は、ユーザが手動でフォーカスレンズ１０２の焦点調節を行うための回転操作部材である。ユーザがフォーカスリング１０７を回転させると、その回転方向や回転操作量がレンズ側制御部１０５により第１駆動パルス信号に変換される。
【００１７】
ズーム位置操作部１０８は、ユーザが手動でズーム倍率や焦点距離を調節するための操作部材である。ユーザがズーム位置操作部１０８を操作すると、レンズ側制御部１０５により第２駆動パルス信号が生成され、第２駆動パルス信号がズームレンズ駆動部１４１に出力される。
【００１８】
レンズ側制御部１０５は、ズーム位置操作部１０８の操作量に基づいてズームレンズ１０４の位置を検出して、交換レンズ１００の焦点距離を演算する。レンズ側制御部１０５は、この交換レンズ１００の焦点距離に基づいて、第１駆動パルス信号の１パルスあたりの像面移動量に関する情報をレンズ側記憶部１０６から選択する。
【００１９】
レンズ側通信部１０９は、レンズ側制御部１０５の制御により、それぞれ複数の接点を含むレンズ側電気接点群１６０、およびカメラ側電気接点群２６０を介して、カメラボディ２００のボディ側通信部２０３と通信を行う。
【００２０】
（カメラボディ２００に関する説明）
図１のカメラボディ２００には、ボディ側制御部２０１と撮像素子２０２とボディ側通信部２０３とボディ側記憶部２０４と操作部材２０５と液晶表示素子２０６と液晶表示素子駆動回路２０７と接眼レンズ２０８とスピーカ２０９とを備える。
【００２１】
ボディ側通信部２０３は、ボディ側制御部２０１の制御のもと、ボディ側電気接点群２６０およびレンズ側電気接点群１６０を介して、レンズ側通信部１０９と通信を行う。
【００２２】
ボディ側記憶部２０４には、カメラボディ２００の制御プログラムや各種設定パラメータが記憶されている。また、ボディ側記憶部２０４は、登録領域２４１と称する記憶領域を少なくとも一つ有し、再生モードにてフォーカスレンズ１０２を電動駆動させるために必要な情報を記憶する。
【００２３】
操作部材２０５は、カメラボディ２００を操作するための操作部材であって、登録開始スイッチ２５１と登録領域選択スイッチ２５２とを有し、さらにレリーズスイッチや電源スイッチなどを有する。登録領域選択スイッチ２５２は、ボディ側記憶部２０４に含まれる登録領域２４１と同数設けられており、一の登録領域２４１に一の登録領域選択スイッチ２５２が対応する。
【００２４】
液晶表示素子２０６は、電気的なビューファインダー（ＥＶＦ：Ｅｌｅｃｔｒｏｎｉｃ  Ｖｉｅｗ  Ｆｉｎｄｅｒ）として機能する。液晶表示素子駆動回路２０７は、撮像素子２０２から出力された画像データに基づき、スルー画像を液晶表示素子２０６に表示する。ユーザは、接眼レンズ２０８を介して液晶表示素子２０６に表示されたスルー画像を観察しながら、フォーカスリング１０７などを操作することができる。
【００２５】
（撮像装置の作動モード）
撮像装置１は、手動モードと記憶モードと再生モードという三つの作動モードを少なくとも有する。各作動モードにおける撮像装置１の各部の動作について説明する。
【００２６】
―手動モード―
撮像装置１が手動モードにあるとき、フォーカスレンズ１０２の位置は手動で調節される。ユーザがフォーカスリング１０７を回転させると、レンズ側制御部１０５がフォーカスリング１０７の回転方向や回転操作量に応じた第１駆動パルス信号を生成する。生成された第１駆動パルス信号は、フォーカスレンズ駆動部１２１に出力される。フォーカスレンズ駆動部１２１は、第１駆動パルス信号に基づいてフォーカスレンズ１０２を駆動する。
【００２７】
―記憶モード―
撮像装置１の記憶モードの動作について、図２を用いて説明する。図２は、記憶モードにおいて撮像装置１で実行される動作に関するフローチャートの一例である。撮像装置１は、ユーザにより登録開始スイッチ２５１が操作される（ステップＳ１０  ＹＥＳ判定）と、記憶モードに移行する。ボディ側制御部２０１は、登録開始スイッチ２５１の操作が検出されると、レンズ側制御部１０５とのデータ通信を開始する等、記憶モードの動作準備を行う。
【００２８】
ユーザは、登録開始スイッチ２５１を操作した後、接眼レンズ２０８を介して液晶表示素子２０６に表示されたスルー画像を観察しながらフォーカスリング１０７を一定の方向に操作する。フォーカスリング１０７の操作が開始されるとその操作量と操作方向に関する情報がレンズ側制御部１０５に入力される（ステップＳ１１）。そして、レンズ側制御部１０５は、第１駆動パルス信号の生成を開始する（ステップＳ１２）。フォーカスレンズ駆動部１２１は、ステップＳ１２で生成を開始された第１駆動パルス信号に基づいて、フォーカスレンズ１０２を駆動する（ステップＳ１３）。
【００２９】
レンズ側制御部１０５は、交換レンズ１００の焦点距離を演算して、その焦点距離に基づいて第１駆動パルス信号の１パルスあたりの像面移動量に関する情報をレンズ側記憶部１０６から取得する（ステップＳ１４）。さらに、レンズ側制御部１０５は、交換レンズ１００に関する情報をレンズ側記憶部１０６から取得する（ステップＳ１５）。
【００３０】
レンズ側制御部１０５は、ステップＳ１２で生成した第１駆動パルス信号と、ステップＳ１３で演算した焦点距離と、ステップＳ１４で取得した第１駆動パルス信号の１パルスあたりの像面移動量に関する情報と、ステップＳ１５で取得した交換レンズ１００に関する情報とを、レンズ側通信部１０９を介してカメラボディ２００側へ送信する（ステップＳ１６）。以降、ステップＳ１３で演算した焦点距離と、ステップＳ１４で取得した第１駆動パルス信号の１パルスあたりの像面移動量に関する情報と、ステップＳ１５で取得した交換レンズ１００に関する情報とを制御条件情報と称する。ボディ側制御部２０１は、ボディ側通信部２０３を介して第１駆動パルス信号と制御条件情報とを受信する（同ステップＳ１６）。
【００３１】
ボディ側制御部２０１は、ステップＳ１６で送受信された第１駆動パルス信号に基づいて、第１駆動パルス信号の平均パルス速度を演算する（ステップＳ１７）。ボディ側制御部２０１による平均パルス速度の演算については後述する。撮像装置１は、ユーザが登録領域選択スイッチ２５２を操作する（ステップＳ１８）まで、ステップＳ１４〜Ｓ１７の処理を繰り返す。
【００３２】
ユーザにより登録領域選択スイッチ２５２が操作される（ステップＳ１８  ＹＥＳ判定）と、ボディ側制御部２０１は、操作された登録領域選択スイッチ２５２に対応する登録領域２４１へ、ステップＳ１７で演算した第１駆動パルス信号の平均パルス速度と、第１駆動パルス信号が表す駆動方向に関する情報と、ステップＳ１６で受信した制御条件情報とを記憶する（ステップＳ１９）。第１駆動パルス信号の平均パルス速度と制御条件情報の記憶が終了したら前述のステップＳ１０に進む。
【００３３】
―再生モード―
撮像装置１の再生モードの動作について、図３を用いて説明する。図３は、再生モードにおいて撮像装置１で実行される動作に関するフローチャートの一例である。撮像装置１は、記憶モードにないときに（たとえば、図２のステップＳ１０がＮＯ判定されたとき）、登録領域選択スイッチ２５２が操作される（図３のステップＳ２０  ＹＥＳ判定）と、再生モードに移行する。ボディ側制御部２０１は、登録領域選択スイッチ２５２の操作が検出されると、レンズ側制御部１０５とのデータ通信を開始する等、再生モードの動作準備を行う。
【００３４】
ボディ側制御部２０１は、操作された登録領域選択スイッチ２５２に対応した登録領域２４１に第１駆動パルス信号の平均パルス速度と駆動方向と制御条件情報とが記憶されているか（ステップＳ２２）と、登録領域２４１に記憶されている制御条件情報に含まれる交換レンズに関する情報と通信中の交換レンズから送信される交換レンズに関する情報とが同一か否か（ステップＳ２３）を判定する。
【００３５】
ステップＳ２２が肯定判定されて（ステップＳ２２  ＹＥＳ）且つステップＳ２３で交換レンズに関する情報が同一の場合（ステップＳ２３  同一）、ボディ側制御部２０１は、登録領域２４１に記憶されている第１駆動パルス信号の平均パルス速度（パルス数／秒）と、制御条件情報に含まれる第１駆動パルス信号の１パルスあたりの像面移動量（ｍｍ／パルス）との乗算結果に基づいて、像面移動速度（ｍｍ／秒）を演算する（ステップＳ２４）。
【００３６】
ステップＳ２４で演算した像面移動速度は、登録領域２４１に記憶されている駆動方向に関する情報とともに、ボディ側通信部２０３とレンズ側通信部１０９とを介して、カメラボディ２００から交換レンズ１００へ送信される（ステップＳ２５）。
【００３７】
ステップＳ２２が否定判定された場合（ステップＳ２２  ＮＯ）又はステップＳ２３で交換レンズに関する情報が相違する場合（ステップＳ２３  相違）、ボディ側制御部２０１は、再生モードにおけるフォーカスレンズ１０２の駆動を禁止し、ユーザに所定の警告を行う（ステップＳ２９）。ステップＳ２９の警告は、たとえばスピーカ２０９を介した警告音声出力、液晶表示素子２０６への警告画像表示、不図示の警告ランプの点灯などによって行われる。
【００３８】
レンズ側通信部１０９は、カメラボディ２００側から像面移動速度を受信すると（ステップＳ２５）、その像面移動速度をレンズ側制御部１０５へ出力する。レンズ側制御部１０５は、フォーカスレンズ１０２でその像面移動速度を再現するために要するパルス速度（パルス数／秒）を、像面移動速度（ｍｍ／秒）を１パルスあたりの像面移動量（ｍｍ／パルス）で除することにより演算する。そして、カメラボディ２００側から送信された駆動方向と、そのパルス速度とに基づいて第１駆動パルス信号を生成する（ステップＳ２６）。レンズ側通信部１０９は、ステップＳ２６で生成した第１駆動パルス信号をフォーカスレンズ駆動部１２１へ出力し、フォーカスレンズ１０２の駆動を開始する（ステップＳ２７）。レンズ側通信部１０９は、フォーカスレンズ１０２が可動範囲の端まで駆動されたときや、ユーザが駆動中に登録領域選択スイッチ２５２を操作したときなどにフォーカスレンズ１０２の駆動を終了する。
【００３９】
ステップＳ２７のフォーカスレンズ１０２の駆動が終了したときや、ステップＳ２０で登録領域選択スイッチ２５２が操作されていないと判定されたときは、図２のステップＳ１０に処理が進む。なお、撮像装置１の作動モードが手動モード、記憶モード、再生モードの三つ以外に存在する場合は、ステップＳ２０で登録領域選択スイッチ２５２が操作されていないと判定された場合は、その作動モードの動作に移行することにしてもよい。
【００４０】
図２のステップＳ１０および図３のステップＳ２０がともに否定判定されているとき、ユーザがフォーカスリング１０７を操作すると、撮像装置１は前述の手動モードの動作を行うことができる。
【００４１】
（平均パルス速度の演算）
図４は、ボディ側制御部２０１による第１駆動パルス信号の平均パルス速度の演算について説明するための図である。図４には、ユーザが時間Ｔ０から時間Ｔ３にかけてフォーカスリング１０７を操作したときにボディ側制御部２０１へ出力される第１駆動パルス信号のパルス速度の時間変化が例示されている。
【００４２】
図４の横軸は経過時間を表し、縦軸はパルス速度を表す。図４では、パルス速度は、時間Ｔ０から時間Ｔ１までの間は加速し、時間Ｔ１から時間Ｔ２までの間は安定し、時間Ｔ２から時間Ｔ３までの間は減速している。ボディ側制御部２０１は、時間Ｔ０から時間Ｔ１までのようにパルス速度が加速している期間や、時間Ｔ２から時間Ｔ３までのように減速している期間のような時間を除いた期間内のパルス速度に基づいて、平均パルス速度を演算する。
【００４３】
時間Ｔ０は、たとえばユーザが登録開始スイッチ２５１を操作した日時である（図２のステップＳ１０参照）。時間Ｔ３は、たとえばユーザが登録領域選択スイッチ２５２を操作した日時である（図２のステップＳ１８参照）。時間Ｔ１は、たとえばユーザが登録開始スイッチ２５１を操作してから所定時間Ｔ４後の日時である。時間Ｔ２は、たとえばステップＳ１８で登録領域選択スイッチ２５２が操作された時間から所定時間Ｔ５前の日時である。所定時間Ｔ４またはＴ５は、撮像装置１の設計者またはユーザによりカメラボディ２００に予め設定されている。
【００４４】
以上で説明した実施の形態によれば、以下の作用効果が得られる。
本発明による撮像装置は、交換レンズ１００とカメラボディ２００とを備え、交換レンズ１００はフォーカスレンズ１０２やズームレンズ１０４などの撮影光学系と、フォーカスリング１０７と、レンズ側制御部１０５とフォーカスレンズ駆動部１２１とを備える。レンズ側制御部１０５は、フォーカスリング１０７の操作量を第１駆動パルス信号に変換する（ステップＳ１２）。フォーカスレンズ駆動部１２１は、ステップＳ１２やステップＳ２６で生成された第１駆動パルス信号に基づいてフォーカスレンズ１０２を電動駆動する（ステップＳ１３およびステップＳ２７）。カメラボディ２００は、ボディ側記憶部２０４に登録領域２４１を少なくとも一つ有し、第１駆動パルス信号に基づく平均パルス速度を記憶している。撮像装置１は、手動モードと記憶モードと再生モードとを有し、操作部材２０５の操作により選択される（ステップＳ１０、ステップＳ２０）。手動モードでは、フォーカスリング１０７の操作量に応じた第１駆動パルス信号に基づきフォーカスレンズ駆動部１２１によってフォーカスレンズ１０２を電動駆動させる。また、記憶モードでは、フォーカスリング１０７の操作量に応じた第１駆動パルス信号に基づく平均パルス速度をボディ側記憶部２０４の登録領域２４１に記憶させる。再生モードでは、登録領域２４１に記憶された平均パルス速度に基づいて演算された第１駆動パルス信号（ステップＳ２４―Ｓ２６）に基づきフォーカスレンズ駆動部１２１によってフォーカスレンズ１０２を電動駆動させる。このような構成を備えることで、撮像装置１は、ユーザが操作部材を操作したときの像面移動を、光学系の自動駆動で再現することができる。
【００４５】
以上で説明した実施の形態は、以下のように変形して実施できる。
（変形例１）上記の実施の形態では、第１駆動パルス信号の平均パルス速度と駆動方向と制御条件情報とを登録領域２４１に記憶したが、登録領域２４１に記憶する情報はそれだけに限定しない。たとえば、第２駆動パルス信号の平均パルス速度と駆動方向とを登録領域２４１にさらに記憶することにしてもよい。たとえば、レンズ側制御部１０５は、ズーム位置操作部１０８の操作量に応じた第２駆動パルス信号をレンズ側通信部１０９に出力する。ボディ側制御部２０１は、ボディ側通信部２０３を介して取得した第２駆動パルス信号に基づいて、平均パルス速度を演算する。レンズ側制御部１０５は、カメラボディ２００から送信された平均パルス速度に基づいて、第２駆動パルス信号を生成して、ズームレンズ駆動部１４１へ出力する。
【００４６】
（変形例２）撮像装置１がユーザに警告を行う状況は、図３に示した状況だけに限定されない。たとえば、記憶モード時にユーザが不適切な操作をしたため、正常に第１駆動パルス信号の平均パルス速度等の記憶ができなかったときなどにも所定の警告を行うことが好ましい。
（変形例３）ユーザがカメラボディ２００のマウント部２５０から交換レンズ１００を外したとき、登録領域２４１に記憶した情報をリセットすることにしてもよい。
【００４７】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００４８】
１  撮像装置
１００  交換レンズ
１０２  フォーカスレンズ
１０４  ズームレンズ
１０５  レンズ側制御部
１０６  レンズ側記憶部
１０７  フォーカスリング
１０８  ズーム位置操作部
１０９  レンズ側通信部
２００  カメラボディ
２０１  ボディ側制御部
２０２  撮像素子
２０３  ボディ側通信部
２０４  ボディ側記憶部
２０５  操作部材
２４１  登録領域
２５１  登録開始スイッチ
２５２  登録領域選択スイッチ
【図１】
2014027402.tif 000003
【図２】
2014027402.tif 000004
【図３】
2014027402.tif 000005
【図４】
2014027402.tif 000006